(57)【特許請求の範囲】
【請求項１】
連続する記録媒体を搬送する搬送手段と、
前記搬送手段によって搬送される前記記録媒体に前処理液を塗布する塗布装置と、
前記前処理液が塗布された前記記録媒体を乾燥する加熱手段を備える加熱乾燥装置と、
前記加熱乾燥装置近傍の前記記録媒体の搬送方向の下流に設けられた複数の従動の中空ローラと、
前記記録媒体を冷却する記録媒体冷却システムと、を有し、
前記複数の中空ローラを前記搬送方向に配列して、前記搬送方向に対して前記記録媒体を複数回屈曲させる屈曲搬送路を形成し、
前記各中空ローラの中空部に、前記記録媒体冷却システムの一部を内蔵するように配置する、
前処理液塗布乾燥装置。
【請求項２】
前記記録媒体冷却システムは、冷凍サイクルを利用し、
該冷凍サイクルは、冷媒を搬送し、少なくとも一部が前記各中空ローラの内部に配置される、伝熱管を備える、
請求項１に記載の前処理液塗布乾燥装置。
【請求項３】
前記冷凍サイクルは、
前記中空ローラ内の内部に配置され、前記中空ローラの内部の空気の熱を前記伝熱管へ伝達し、該伝熱管の強度を補強する、伝熱フィンを備える
請求項２に記載の前処理液塗布乾燥装置。
【請求項４】
印刷時に、前記加熱乾燥装置の起動の後に前記搬送手段を起動させ、前記加熱乾燥装置の停止後に前記搬送手段を停止させ、
前記記録媒体冷却システムが前記搬送手段の動作と略同時のタイミングで、前記記録媒体冷却システムにおける冷却動作の起動及び停止を実施させるように制御をする、制御装置をさらに備える、
請求項１〜３のいずれか１項に記載の前処理液塗布乾燥装置。
【請求項５】
請求項１〜４のいずれか１項に記載の前処理液塗布乾燥装置と、
前記前処理液塗布乾燥装置の前記搬送方向の下流に配置され、前記前処理液塗布乾燥装置によって前記前処理液が塗布され乾燥された後の前記記録媒体にインクを吐出し付着させる記録装置を有する、印刷システム。
【請求項６】
記録媒体を搬送する搬送部と、
前記記録媒体にインクを吐出し付着させる記録装置部と、
前記インクが付着した前記記録媒体を乾燥する加熱手段を有する加熱乾燥装置部と、
前記加熱乾燥装置部近傍の前記記録媒体の搬送方向の下流に設けられた複数の従動の中空ローラと、
前記記録媒体を冷却する記録媒体冷却システムと、を有し、
前記複数の中空ローラを前記搬送方向に配列して、前記搬送方向に対して前記記録媒体を複数回屈曲させる屈曲搬送路を形成し、
前記各中空ローラの中空部に、前記記録媒体冷却システムの一部を内蔵するように配置する、
印刷装置。
【請求項７】
前記加熱乾燥装置部と前記複数の中空ローラで形成される前記屈曲搬送路とは１つの筐体で囲まれる、
請求項６記載の印刷装置。
【発明の詳細な説明】
【技術分野】
【０００１】
本発明は、前処理液塗布乾燥装置、それを有する印刷システム、及び印刷装置に関する。
【背景技術】
【０００２】
インクジェット方式の画像記録方式は、低騒音、低ランニングコストに加えて、カラー化が容易といった利点から急速に普及してきている。しかし、専用紙以外のメディアに記録すると、滲み、濃度、色調や裏写り等といった初期品質問題に加え、耐水性、耐候性といった画像の堅牢性に関わる問題を抱えていた為、これらの問題を解決する様々な提案がなされていた。
【０００３】
それらの解決手段の一つとして、記録媒体である用紙にインク液滴が付着する直前にインクを凝集させる機能を有する前処理液を塗布し画質改善を図る方法がある。前処理液を塗布した場合、インクを吐出する前に用紙を乾燥する必要がある。このとき、用紙に連続紙を用いる場合、用紙の波打ちであるコックリングが発生するおそれがある。
【０００４】
また、用紙が乾燥されて、用紙の温度が高いまま、後段のインク液滴を付着させる画像形成装置のヘッド部に搬送されると、ヘッド部において温度上昇を引き起こすおそれがある。あるいは、用紙が、乾燥されて温度が高いまま前処理液塗布乾燥装置の外に出ると、前処理液の成分によっては、用紙から揮発性有機化合物による臭気が発生するおそれがある。
【０００５】
ここで、特許文献１では、印刷動作中、インクを付着させた後、シーズニング装置により用紙の乾燥後、温度調整した水分を送風により吹き付けることで、コックリングを防止するとともに、記録媒体を冷却している。
【発明の概要】
【発明が解決しようとする課題】
【０００６】
しかし、上記の特許文献１では、送風を吹き付ける噴出口からの距離の差によって、吹き付け後の記録媒体の表面における温度・含水率にムラが生じる恐れがあった。
【０００７】
そこで、本発明は上記事情に鑑み、記録媒体のコックリングの発生を防止しつつ、加熱乾燥後に均一に冷却できる前処理液塗布乾燥装置を提供することを目的とする。
【課題を解決するための手段】
【０００８】
上記課題を解決するため、本発明の一態様は以下のような手段を有する。
前処理液塗布乾燥装置は、連続する記録媒体を搬送する搬送手段と、前記搬送手段によって搬送される前記記録媒体に前処理液を塗布する塗布装置と、前記前処理液が塗布された前記記録媒体を乾燥する加熱手段を有する加熱乾燥装置と、前記加熱乾燥装置近傍の前記記録媒体の搬送方向の下流に設けられた複数の従動の中空ローラと、前記記録媒体を冷却する記録媒体冷却システムと、を有し、前記複数の中空ローラを前記搬送方向に配列して、前記搬送方向に対して前記記録媒体を複数回屈曲させる屈曲搬送路を形成し、前記各中空ローラの中空部に、前記記録媒体冷却システムの一部を内蔵するように配置する。
【発明の効果】
【０００９】
本発明の一態様では、前処理液塗布乾燥装置において、記録媒体のコックリングの発生を防止しつつ、加熱乾燥後に均一に冷却できる。
【図面の簡単な説明】
【００１０】
【図１】本発明の第１実施形態に係る前処理液塗布乾燥装置を含む印刷システムの全体構成を説明する図である。
【図２】図１の印刷システムに含まれる前処理液塗布乾燥装置の概略構成図である。
【図３】図２の前処理液塗布乾燥装置内部の、給紙装置から記録媒体を引き込むフィードインローラ付近の構成図である。
【図４】図２の前処理液塗布乾燥装置内部のエアループを経た記録媒体が位置矯正されて搬送されるパスシャフト付近の構成図である。
【図５】図２の前処理液塗布乾燥装置内部のインフィードローラ部で記録媒体搬送を説明する図である。
【図６】本発明の第１実施形態に係る加熱乾燥装置とコックリング抑制手段と記録媒体冷却システムとの概略構成図である。
【図７】図６の加熱乾燥装置で、記録媒体の装填のために表面乾燥ユニットと裏面乾燥ユニットとに開放した概略図である。
【図８】図６の加熱乾燥装置を記録媒体の搬送方向から見た図であって、加熱乾燥装置の開閉の仕方を説明する概略図である。
【図９】コックリング抑制手段の従動ローラ及び記録媒体冷却システムの一部の拡大図である。
【図１０】図１の印刷システムにおける動作の制御フローチャートである。
【図１１】印刷時の各装置の動作タイミング示すタイミングチャートである。
【図１２】本発明の第２実施形態に係るインクジェットプリンタについて、その全体構成を説明する概略構成図である。
【発明を実施するための形態】
【００１１】
以下、図面を参照して本発明を実施するための形態について説明する。
【００１２】
＜第１実施形態＞
（（印刷システム全体））
図１に、本発明の第１実施形態に係る、印刷システム１００の概略構成を例示する。図１に示す様に、印刷システム１００は、給紙装置１１０、前処理液塗布乾燥装置１２０、第１インクジェットプリンタ１３０、反転装置１４０、第２インクジェットプリンタ１５０、後乾燥装置１６０、及び後処理装置１７０を有する。第１インクジェットプリンタ１３０、第２インクジェットプリンタ１５０はインクを吐出して印刷を行う記録装置である。
【００１３】
図１において、給紙装置１１０から繰り出された例えば長尺状の連続紙などからなる連続する記録媒体１０は、まず、前処理液塗布乾燥装置１２０に送り込まれる。
【００１４】
前処理液塗布乾燥装置１２０では、次の工程における片面または両面にインクジェット方式による画像記録に先立って、前処理として、吐出されるインクの滲みや裏写りを抑えるために、記録媒体１０の表裏の片方または両面に抑制剤などの前処理液が塗布される。さらに、前処理塗布乾燥装置１２０において、記録媒体１０は、搬送されながら塗布された前処理液の乾燥が行われ、その後、記録媒体１０が冷却されながら搬送される。
【００１５】
前処理液の塗布・乾燥処理が行われた記録媒体１０は、次に、第１インクジェットプリンタ１３０に送られて、ヘッド部１３１が記録媒体１０の表側にインク滴を吐出して所望の画像が形成される。その後、ドライヤーなどの一部乾燥機能を備えた反転装置１４０により記録媒体１０の表裏が反転される。引き続き、記録媒体１０は第２インクジェットプリンタ１５０に送られ、ヘッド部１５１が記録媒体１０の裏側にインク滴を吐出して所望の画像が形成される。
【００１６】
そして、記録媒体１０の両面に印刷が施された後、ドライヤーによる熱風主体での後乾燥が後乾燥装置１６０でなされる。その後、後処理装置１７０に送られて所定の後処理（巻き取り、裁断等）が行われる。
【００１７】
本実施形態に係る印刷システム１００の各構成要素は制御システムと動作可能に接続されており、印刷動作に係る信号等が入力されている。
【００１８】
（（前処理液塗布乾燥装置の構成））
次に、図２〜図５を参照して、前処理液塗布乾燥装置１２０について説明する。図２は前処理液塗布乾燥装置１２０の概略構成図であり、塗布乾燥搬送時の状態を示している。図３に前処理液塗布乾燥装置１２０内部の給紙装置１１０から記録媒体１０を引き込むフィードイン（ＦＩ）ローラ２２付近の構成図を示す。図４に前処理液塗布乾燥装置１２０内部のエアループＡＬを経た記録媒体１０が位置矯正されて搬送されるパスシャフト２５付近の構成図を示す。図５に図２の前処理液塗布装置内部のインフィードローラ部で記録媒体搬送を説明する図を示す。図３〜５で示す構成等により、前処理液塗布乾燥装置１２０内において連続紙である記録媒体１０へ張力が付与されている。
【００１９】
図２で示された前処理液塗布乾燥装置１２０は、前処理液を記録媒体１０に塗布する前処理液塗布装置３０を有している。記録媒体１０の前処理液を乾燥させるために、加熱乾燥ユニット（加熱乾燥装置）１が、前処理液塗布装置３０の記録媒体搬送方向の下流に設けられている。さらに、前処理液塗布乾燥装置１２０は、先に述べた前処理液塗布装置３０と加熱乾燥装置１の他にエアループユニット２０、前処理液供給ユニット４０、コックリング抑制手段５０、記録媒体冷却システム７０、及びダンサー装置８０を有する。
【００２０】
前処理液塗布乾燥装置１２０内の各装置、ユニットの動作は、制御装置１２５によって制御されている。なお、制御装置１２５は、前処理液塗布乾燥装置１２０内のどこに配置されてもよく、また制御装置１２５を制御システムと一緒に前処理液塗布乾燥装置１２０の外で構成されてもよく、信号などにより各装置、ユニットを制御してもよい。
【００２１】
図２において、ローラの端部に軸受けを有し、回転自在のガイドローラ２１，２４等が前処理液塗布乾燥装置１２０内に多数本設置されており、記録媒体１０の搬送路１２１を形成している。
【００２２】
符号２２はモータなどの駆動源で回転駆動するＦＩローラであり、このＦＩローラ２２は、図３で示すように、ばね２７の引張力でＦＩニップローラ２３が押し付けられて、張力が与えられている。
【００２３】
記録媒体１０は、ＦＩローラ２２とＦＩニップローラ２３との間で弾性的に狭持されており、前記駆動源によりＦＩローラ２２を回転することで前処理液塗布ユニット３３，３４の内部に前段に設けられた給紙装置１１０から記録媒体１０を引き込むことができる。
【００２４】
また、ＦＩローラ２２とＦＩニップローラ２３から送り出された記録媒体１０は若干弛ませてエアループＡＬを形成しており、このエアループＡＬ内の弛み量を光学センサで監視し、弛み量が一定になるようにＦＩローラ２２が駆動制御される。
【００２５】
エアループＡＬを経た記録媒体１０は、図４に示すように、パスシャフト２５とエッジガイド２６との間を通り、且つ、記録媒体１０の搬送方向（矢印方向）と直交する方向に２本配置されたパスシャフト２５をＳの字状に通る。このパスシャフト２５に一対のエッジガイド２６が支持されており、エッジガイド２６の間隔は記録媒体１０の幅方向と同寸に支持されている。
【００２６】
そのため、パスシャフト２５とエッジガイド２６の働きにより、記録媒体１０の幅方向の走行位置が規制され、安定した走行が可能となる。なおエッジガイド２６は、パスシャフト２５に例えば、ねじ等の固定手段によって固定されており、使用する記録媒体１０の幅寸法に応じてエッジガイド２６の位置が調整可能になっている。パスシャフト２５とエッジガイド２６との間を通過した記録媒体１０は、固定状態にあるテンションシャフトにより走行安定化のための張力が付加される。
【００２７】
テンションシャフトを通過した記録媒体１０は、前処理液塗布装置３０に入り、モータなどの駆動源で回転駆動するインフィードローラ３１とフィードニップローラ３２との間を通る。フィードニップローラ３２は、図５に示すように、インフィードローラ３１の軸方向に沿って複数個配置されており、各フィードニップローラ３２は、ばね３７によりインフィードローラ３２側に押し付けられている。
【００２８】
インフィードローラ３１とフィードニップローラ３２との間を通過した記録媒体１０は、裏面側に前処理液を塗布する裏面塗布装置ユニット３３ならびに表面側に前処理液を塗布する表面塗布ユニット３４を順次通過することにより、両面に前処理液が塗布される。
【００２９】
ここで、利用される前処理液は、液組成として、（ｉ）色材（顔料）凝集のためのカチオン性樹脂を含む液体、（ｉｉ）粘度安定化のための水溶性有機溶媒、（ｉｉｉ）泡立ち、塗布ムラ防止のための一価アルコール、（ｉｖ）成分変質防止のための防腐・防カビ剤、（ｖ）定着性防止のためのバインダー樹脂、及び（ｖｉ）細線の再現性のための界面活性剤などを含む。
【００３０】
このような前処理液が塗布され、表面塗布ユニット３４を通過した記録媒体１０は、図５に示したローラ３１と３２と同様なモータなどの駆動源で回転駆動するアウトフィードローラ３５とフィードニップローラ３６との間を通る。
【００３１】
その後、記録媒体１０は、加熱乾燥装置１内を通った後、特に待機中でのコックリングを抑制するコックリング抑制手段５０の従動ローラ５１ｘ〜５１ｚに沿う屈曲搬送路５２を通る。
【００３２】
そして、図５に示したローラ３１と３２と同様に、モータなどの駆動源で回転駆動するフィードローラ６１とフィードニップローラ６０との間を通る。その後、記録媒体１０は、回転自在なダンサーローラ８５，８６ならびに両ダンサーローラ８５，８６の間に配置されたガイドローラ８１にわたってＷの字状に巻き掛けられている。
【００３３】
ダンサーローラ８５，８６はそれぞれローラ端部に設けた軸受けを介して可動フレーム８４に回転自在に取り付けられて、ダンサーユニット８７を構成している。なお、可動フレーム８４にはおもり８３が取り付けられている。このダンサーユニット８７は重力方向Ａに沿って移動可能になっており、ダンサーユニット８７の位置を検出するダンサーユニット位置検出手段が設けられて、この位置検出手段の出力に応じて前記フィードローラ６１の駆動源を駆動制御している。この構成により、ダンサーユニット８７の位置が調整できる構成にしており、装置間の記録媒体１０のバッファー量を確保している。
【００３４】
記録媒体１０が排出ローラ８２を通った後に、後段の第１インクジェットプリンタ１３０に搬送される。
【００３５】
このような構成により、前処理液塗布乾燥装置１２０において、前処理液塗布装置３０は、インクのにじみ防止や浸透補助等、画質向上のための前処理液を、記録媒体１０に塗布する。その後、加熱乾燥装置１において前処理液を乾燥して、過剰分を蒸発させる。そして、記録媒体１０は、記録媒体冷却システム７０により、コックリング抑制手段５０を通って冷却された後に、高低差のある段差の中で記録媒体１０を搬送するダンサー装置８０にてさらに冷却され、後段の第１インクジェットプリンタ１３０に搬送される。
【００３６】
図２において、フィードローラ３１，３５，６１等は前処理液塗布乾燥装置１２０の搬送手段として機能する。
【００３７】
（（加熱乾燥装置・コックリング抑制手段の構成））
図６は本発明の第１実施形態に係る加熱乾燥装置１とコックリング抑制手段５０と記録媒体冷却システム７０との概略構成図である。加熱乾燥装置１は、前処理液を塗布した記録媒体１０を乾燥する。加熱乾燥装置１は、上部の表面乾燥ユニット１Ａと下部の裏面乾燥ユニット１Ｂとを備える。
【００３８】
上部の表面乾燥ユニット１Ａは、記録媒体１０の表面１１の乾燥を行う表面乾燥加熱ローラ４ｂ，５ｂ，６ｂ、及び蒸気などの排出を行う複数の表面蒸気排出ファン（ダクト）８を有する。裏面乾燥ユニット１Ｂは、上部の表面乾燥ユニット１Ａと同様に、記録媒体１０の裏面１２の乾燥を行う複数の裏面乾燥加熱ローラ４ａ，５ａ，６ａ、及び蒸気などの排出を行う複数の裏面蒸気排出ファン（ダクト）９を有する。また、記録媒体１０の排出を補助するアイドラローラ７が、どちらかの乾燥ユニット１Ａ、１Ｂ、又は加熱乾燥装置１の外のフレーム５３（図９参照）に固定されることで、加熱乾燥装置１内に設置されている。
【００３９】
加熱ローラ４ａ〜６ｂは、装置と制御の簡素化のため従動するものとし、加熱用のヒータ（ヒータランプ）、温度均一化のためのヒートパイプを内蔵している。なお、各加熱ローラ４ａ〜６ｂの表面は、フッ素樹脂等、非粘着性の膜でコーティングされる。このコーティングによって、ローラ表面へのインク等の付着を抑制し、ローラ表面の付着物による記録媒体１０への熱伝導効率の低下を抑制することができる。
【００４０】
図７は加熱乾燥装置１を表面乾燥ユニット１Ａと裏面乾燥ユニット１Ｂとに上下に開放したものであり、記録媒体１０を装填する時はこのように開放した状態で記録媒体１０を通すだけでよい。
【００４１】
図８に示すように、表面乾燥ユニット１Ａおよび裏面乾燥ユニット１Ｂが、アーム１３，１４を介してプーリ１５で張られた各ベルト１６に固定されており、この加熱乾燥装置１の開閉は、このプーリ１５を回転させることで行っている。なお、各加熱ローラ４ａ〜６ｂには、温度コントロール用にサーミスタ２がホルダ３により乾燥ユニット１Ａ，１Ｂの筐体に固定されている。
【００４２】
加熱乾燥装置１において、前処理液塗布乾燥装置１２０の制御装置１２５が、加熱制御処理を実行し、サーミスタ２の検知結果に基づいて、夫々の加熱ローラ４ａ〜６ｂのその中に設置された各ヒータ（ヒータランプ等）の加熱量（温度）を制御している。
【００４３】
ここで、加熱乾燥装置１では、前処理液が塗布された記録媒体１０について、基本的には塗布された面（表裏の両面あるいはいずれかの面）のみ乾燥する。すなわち、表面側塗布時は表面１１側のみ乾燥させるため、表面乾燥加熱ローラ４ｂ，５ｂ，６ｂが加熱され記録媒体１０が乾燥される。裏面側塗布時は裏面１２側のみ乾燥させるため、裏面乾燥加熱ローラ４ａ，５ａ，６ａが加熱されて記録媒体１０が乾燥される。また、両面塗布時は両面を乾燥させるため、それぞれ表面乾燥加熱ローラ４ｂ，５ｂ，６ｂ、裏面乾燥加熱ローラ４ａ，５ａ，６ａが加熱されて記録媒体１０が乾燥される。
【００４４】
また、印刷時、加熱ローラ４０ａ〜６０ｂの温度は、上流から下流に向かって段階的に上昇するように設定されている。この温度設定により、記録媒体１０が入ってくる最初の加熱ローラ４ａ，４ｂにおける急激な温度上昇を回避することで、印刷時に記録媒体１０に与える熱負荷をより効果的に抑え、熱負荷による記録媒体１０のシワや変形等のダメージを削減する。
【００４５】
例えば、加熱ローラ４ａ〜６ｂの加熱温度は、常温よりも高い、５０℃〜９０℃程度の範囲で設定される。また、加熱時の温度は、印刷動作に連動して時系列的に変化するように設定されてもよい。さらに、加熱ローラ４ａ〜６ｂの温度は、記録媒体１０が分厚い場合や、寒冷環境の場合、前処理液を乾燥させるために、より高い温度（〜１００℃程度）で設定されることもある。
【００４６】
しかし、加熱乾燥装置、及びその近傍において、加熱乾燥装置と外気との温湿度の差により、印刷を停止している待機中に加熱ローラにより記録媒体に熱塑性変形の巻癖であるコックリングが発生することがあった。加熱乾燥装置１で急激に乾燥された記録媒体１０が、特に加熱乾燥装置１の出口直後で急激に吸湿し始めるため、出口付近はコックリング現象が顕著に起こりやすい。この巻癖の大きな変形が、この後の印刷時に後続のプリンタ１３０，１５０のヘッド１３１，１５１に接触して、ヘッドの詰まりやヘッドを損傷させたりする場合があった。
【００４７】
そこで、加熱乾燥装置１の出口近傍の下流側に、図６に示すように、記録媒体冷却システム７０の一部である伝熱管７７を内蔵した、複数の従動ローラ５１ｘ〜５１ｚを搬送方向に配列することにより搬送方向に対して屈曲する屈曲搬送路５２が、コックリング抑制手段５０として、形成されている。より詳しくは、図６では、下流側にあるコックリング抑制手段５０は、水平方向に伸びる搬送方向に対して上下（直交する方向）に波打つように屈曲搬送路５２が形成される。
【００４８】
図６から明らかなように従動ローラ５１ｘ〜５１ｚの外径は、加熱ローラ４ａ〜６ｂの外径よりも小さい、すなわち、曲率を大きくしたローラ径としている。よって、記録媒体１０が複数の曲率の大きい従動ローラ５１ｘ〜５１ｚに巻きつきながら搬送されることで、加熱ローラ４ａ〜６ｂに起因した巻癖と、複数の小さな外径の従動ローラ５１ｘ〜５１ｚとの曲率の違いにより記録媒体１０がしごかれて、巻癖変形を矯正する効果がある。
【００４９】
この巻癖は、記録媒体１０の厚みが厚いほど大きい傾向があり、記録媒体１０に応じて適宜、従動ローラ５１ｘ〜５１ｚの外径を、加熱ローラ４ａ〜６ｂの外径よりも小さい範囲で選定しても良い。
【００５０】
この複数の中空の従動ローラ５１ｘ〜５１ｚによる屈曲搬送路５２は、加熱乾燥装置１に近いほど隣接する従動ローラ５１ｘ〜５１ｚとの軸間距離を短くするのが好ましい。加熱乾燥装置１に近い従動ローラ５１ｘ（図６中、右側）ほど軸間を短くしているのは、軸間距離が短い方が同じ外径のローラでは、記録媒体１０の巻き付け角度が大きくなるからである。記録媒体の巻き付け角度が大きいと、記録媒体１０と従動ローラ５１ｘ〜５１ｚとが圧接することにより圧接面積が広くなり記録媒体１０の自由な伸縮が抑制される。さらに、接触していることによる記録媒体１０の用紙幅方向の温湿度変化の不均一を防止し、及び巻き付け角度が大きいことによる用紙幅方向の記録媒体１０の剛性が上がる。
【００５１】
また、コックリング手段５０で従動ローラ５１ｘ〜５１ｚが記録媒体１０を複数回屈曲させることで、記録媒体１０での波打ち変形を成長させることなく、各従動ローラ５１ｘ〜５１ｚで変形を分断しつつ、圧接させている部分で特に記録媒体１０の幅方向での自由な変形を抑制している。よって、搬送方向の広範囲にわたり段階的にコックリングを防止し、大きなコックリングさえも抑制することができる。
【００５２】
したがって、記録媒体１０において、待機中に発生する記録媒体１０の幅（用紙幅とする）方向と直角方向であって搬送方向に平行な波打ち状の変形であるコックリングが発生しにくくなる。
【００５３】
図６に示した、本実施形態において、加熱乾燥装置１で急激に乾燥された記録媒体１０が、加熱乾燥装置１の出口直後で急激に吸湿し始め、コックリング現象が顕著に起こりやすいため、特に加熱乾燥装置１の出口側に屈曲搬送路５２を設けている。
【００５４】
さらに、加熱乾燥装置１の入口側でも、出口側よりも変形の程度は小さいが、加熱乾燥装置１との温湿度変化が激しいためコックリングが生じる場合があるため、入口側にも、図６の屈曲搬送路５２同様の、屈曲搬送路を設けてもよい。この場合は、傾斜する搬送方向に対して直交する方向に同様な従動ローラ５１ｘ〜５１ｚを配置して波打つように屈曲搬送路を形成するように構成し、冷却システムは、設けない。
【００５５】
このように、コックリングが抑制された記録媒体１０は、図２の前処理液乾燥装置１２０において、高低差のある段差の中で記録媒体１０を搬送するダンサー装置８０を通った後に、後段の第１インクジェットプリンタ１３０へ搬送される。
【００５６】
ここで、記録媒体１０の温度が高いまま、後段のインクジェットプリンタ１３０，１５０のヘッド部１３１，１５１に搬送されると、ヘッド部１３１，１５１において温度上昇をまねくことになる。これにより、ヘッド部１３１，１５１内のインクの融解による成分の劣化などの悪影響を与えるおそれがある。また、記録媒体１０の温度が高い状態で、記録媒体１０の面にインクを付着させると、付着したインクに滲みを生じるおそれがある。
【００５７】
また、前処理液乾燥装置１２０と第１インクジェットプリンタ１３０とが、距離をおいて配置される場合、記録媒体１０が乾燥されて温度が高いまま前処理液塗布乾燥装置１２０の外へ出ることになり、前処理液の成分によっては、記録媒体から揮発性有機化合物（Volatile Organic Compounds:ＶＯＣ）などによる臭気が発生するおそれがある。
【００５８】
例えば、上記前処理液の組成で示した成分が気化すると、揮発性有機化合物による有機溶剤臭とともに、油脂臭、硝酸ガス臭、アンモニア臭なども混合して発生し、外気の条件によっては、周囲の人にとって、不快な臭気（悪臭）に感じられる恐れがある。
【００５９】
ここで、臭気は、臭気物質の濃度、風向き、温度、気圧、対空気比重等によって、臭気の強度、拡散の規模、方向、滞留時間などが、変化するという性質がある。特に、温度が高くなると臭気の強度が大きくなることが経験的に知られている。
【００６０】
そこで、本発明の実施形態において、臭気の発生を抑制するため、下記のように、加熱後、即座に冷却を行うことで、加熱により増大した臭気を冷却することで抑制する。
【００６１】
（（従動ローラ・記録媒体冷却システムの構成））
ここで、図９にコックリング抑制手段５０の従動ローラ５１ｘ〜５１ｚと、記録媒体冷却システム７０の一部の構成例の一例の断面図を示す。下記、搬送方向上流、下流を区別する必要がないときは、ｘ，ｙ，ｚを省略して説明する。
【００６２】
従動ローラ５１は中空状のローラ本体である、中空ローラ（本体）５１Ａと、該中空ローラ本体５１Ａへ連結される端部５１Ｂと、を有する。端部５１Ｂ（５１Ｂｏ，５１Ｂｃ）は、軸方向がスリーブ４３とＥリング５７の抜け止めにより規定された軸受５４が、軸受押さえ４２とボルト５５とにより、フレーム５３に締結されることにより、固定されている。
【００６３】
中空ローラ本体５１Ａの表層Ａ２は、加熱ローラ４ａ〜６ｂ同様に、ローラ表面への前処理液やインクの付着を抑制するためのフッ素樹脂等、非粘着性の膜で覆われている。その内側の層Ａ１はアルミニウム等、熱伝導性のよい金属で作られている。中空ローラ本体５１Ａは加熱された記録媒体１０が巻きつきながら外表面上を通ることで記録媒体１０から熱を受け取る。
【００６４】
このとき、温度の伝達の不均一を避けるため、中空ローラ本体５１Ａにおいて、熱伝導率が異なる端部５１Ｂが存在する部分を避けて、通紙幅を設ける。この構成により、記録媒体１０の幅方向において記録媒体１０から中空ローラ本体５１Ａの内部（中空部）への均一な熱移動が可能になる。このように、記録媒体１０の幅方向の全域が、複数の従動ローラ５１ｘ〜５１ｚの中空ローラ本体５１Ａに設けられた通紙幅へ接するので、記録媒体１０において、ムラなく均一にコックリングを抑制できる。
【００６５】
なお、軸受５４を介してフレーム５３と接続するための端部５１Ｂは例えば、ＰＩ（ポリイミド）、ＰＰＳ（ポリフェニレンサルファイド）、ＰＡＩ（ポリアミド−イミド）、ＰＥＩ（ポリエーテルイミド）、ＬＣＰ（液晶ポリマー）、ＰＥＥＫ（ポリエーテルーエーテルーケトン）樹脂もしくはセラミック材料等の樹脂材料で構成すると好ましい。樹脂からなる端部５１Ｂｏ，５１Ｂｃは金属からなる中空ローラ本体５１Ａに比べて熱伝導率が低いため、フレーム５３への熱移動を最小限にする。
【００６６】
また、図９の例において、端部５１Ｂｃ（右側）は閉鎖されている一方、端部５１Ｂｏ（左側）は空気穴から換気路を通って中空ローラ本体５１Ａの中に空気を取り込む。よって、中空ローラ本体５１Ａが記録媒体１０から受け取った熱量を、端部５１Ｂｏを通って外部へ逃がし外気を取り込むことができる。
さらに、冷凍サイクルの熱蒸発部を形成する伝熱管７７内の冷媒Ｒの循環に起因する空気の循環により、記録媒体１０は、中空ローラ本体５１Ａの中空の容量分以上の量の熱を奪い取られ、冷却させられる。
【００６７】
この構成において、印刷時には、記録媒体冷却システム７０が冷媒Ｒを循環させることで、中空部内の空気を循環させることで記録媒体１０を冷却し、後方でのプリンタ１３０でのヘッド部１３１の温度上昇を防止する。印刷停止時前後や印刷停止時、印刷待機時には記録媒体冷却システム７０は冷媒Ｒの循環を停止させ、温度変化を少なくしてコックリング抑制を補助するようにする。
【００６８】
記録媒体冷却システム７０は、冷媒Ｒの状態変化（液化→気化）させることにより、熱の放出、吸収を行う冷凍サイクルを用いたシステムであって、圧縮機７１、凝縮器７３、膨張弁７５、伝熱管７７（７６）、及びフィン７９を有する。伝熱管は、各従動ローラ５１と接続する個別伝熱管７７と、システム全体の冷媒Ｒの循環を行う全体用伝熱管７６（図６）とを備えていてもよい。
【００６９】
伝熱管７７の一部は、中空ローラ本体５１Ａの内部に内蔵するように配置されている。例えば、図９に示すように、伝熱管７７は、Ｕ字形状に折り曲げられて中空ローラ（本体）５１Ａの内部に、挿入されている。そして、フィン７９が、上下の伝熱管７７を連結している。
【００７０】
冷凍サイクルにおいて、圧縮機７１は、低圧の気体（ガス）の冷媒Ｒを例えばピストン等で圧縮して、高圧ガスにする。凝縮器７３は、高圧ガスから熱を放出させて、冷媒Ｒを液化して、熱放出を行う。液状の冷媒Ｒを膨張弁７５へ通すことで、冷媒Ｒの減圧と流量を制御し（気化し）、伝熱管７７へガスを押し込む。このように、冷凍サイクルにおいて、冷媒Ｒの状態変化の潜熱により、伝熱管７７が冷却される。
【００７１】
冷媒配管である伝熱管７７には、伝熱促進部材であるフィン７９が接合されている。フィン７９の表面である伝熱面を介して、高温側である中空部の空気から低温側である伝熱管７７内の冷媒Ｒに熱を伝えることで、中空ローラ５１Ａ内部の空気を冷却し、冷却された空気により、中空ローラ５１Ａの外表面上を通る記録媒体１０を冷却する。また、フィン７９は、中空ローラ５１Ａ内の伝熱管７７の形状を維持するように、伝熱管７７の強度を補強する支持部材としても機能する。
【００７２】
このように、中空ローラ５１Ａ内の熱を奪った冷媒Ｒは、中温、低圧のガス状態となり、再び圧縮機７１へ搬送される。このような冷媒Ｒの熱交換サイクルを繰り返すことにより、中空ローラ５１Ａの外表面上を通る記録媒体１０を冷却する。
【００７３】
また、図９においては、伝熱面としてのフィン７９の表面の形状として、例えば、剣山状又は蛇腹状など、表面積が大きくなるように構成されており、中空ローラ５１Ａ内の空気がフィン７９の表面に触れることで、空気の冷却（熱交換）を促進する。
【００７４】
ここで、中空ローラ５１Ａの内部に配置された伝熱管７７の冷媒Ｒの循環の動きと連動して、周囲の空気も移動する。従って、中空ローラ５１Ａ内の空気は循環しながら均一に冷却される。
【００７５】
なお、記録媒体１０を加熱後に急激に冷却させ過ぎると、加熱乾燥装置１とコックリング抑制手段５０との温度差によりコックリングの発生が促進されるおそれがある。しかし、本実施形態では、冷媒Ｒを伝熱管７７内で循環させることで、中空ローラ５１Ａの内部の空気を循環させ、中空ローラ５１Ａの外表面を通る記録媒体１０を均一に、かつ緩やかに冷却させている。従って、過度な冷却や、冷却ムラなどを極力抑制しながら、記録媒体１０を均一に冷却できる。
【００７６】
ここで、上記のような高熱による臭気の問題を解決するため、最終的に、装置（本実施形態においては前処理液塗布乾燥装置）を記録媒体が出る際には、記録媒体は、室温レベル、例えば２５℃程度まで温度を低下させることを目標とする。
【００７７】
そのため、前処理液の揮発性にも依るが、従動ローラ毎（５１ｘ⇒５１ｙ⇒５１ｚ）に、段階的に温度を下げるように設定する。その際、記録媒体である紙は、ローラ間の移行において、４０℃の温度差が生じると記録媒体の収縮率に大きな差をまねき、シワが発生するおそれがあるため、各段階での温度差は４０℃以内で行うのが望ましい。
【００７８】
このように段階的に温度を低下させるため、冷却の際、最後段の従動ローラ５１ｚから冷やして、加熱乾燥装置に近い最前段の従動ローラ５１ｘを最後に冷やすように伝熱管７７の配回しとすると好ましい。この構成により、冷たい冷媒が、熱を奪いながら従動ローラ５１ｚ⇒５１ｙ⇒５１ｘと移動する。従って、冷凍システムにおいて冷却直後の冷媒Ｒが通る従動ローラ５１ｚが最も低い温度で冷却され、冷却後に他の従動ローラ５１ｚ，５１ｙから熱を奪った（温められた）冷媒Ｒが通る従動ローラ５１ｘが最も高い温度で冷却されることが可能になる。
【００７９】
さらに、図２から明らかなように、加熱乾燥装置１とコックリング抑制手段５０とは前処理液塗布乾燥装置１２０の筐体内に設けられている。よって、記録媒体を加熱した後に、コックリングを抑制しつつ冷却するので、その後のダンサー装置８０を介して、前処理液塗布乾燥装置１２０を出る際には、記録媒体１０の温度が下がっている。
【００８０】
従って、本発明の実施形態では、記録媒体１０が高温であることによる、後段のインクジェットプリンタ１３０，１５０のヘッド部１３１，１５１でのインク劣化、及び記録媒体１０に付着したインクの滲みなどの悪影響、を抑制できる。また、前処理液塗布乾燥装置１２０の外に出る時に、前処理液が高温であることによる臭気の発生を抑制できる。
【００８１】
（（印刷システムにおける動作の制御例））
図１０は、本実施形態の印刷システムにおける動作の制御フローチャートである。動作タイミングは後述のタイミングチャートが示す乾燥動作タイミング、塗布動作タイミング、搬送動作タイミング、記録媒体冷却タイミング、印刷動作タイミングに対応する。
【００８２】
印刷が開始されると、ステップ（以下単にＳと示す）Ｓ１０１で印刷準備として、前処理液塗布乾燥装置１２０が制御システムから印刷スタート（ＰＳ）信号を受ける。すると、加熱乾燥装置１の温度立上げに入り、加熱ローラ４ａ〜６ｂに内蔵したヒータランプがＯＮされ、加熱ローラ４ａ〜６ｂが加熱される（Ｓ１０２）。Ｓ１０２において加熱ローラ４ａ〜６ｂが所望の乾燥設定温度まで立ち上げられるようにする。
【００８３】
立ち上げが完了すると（Ｓ１０３）、記録媒体１０が全体搬送されると共に前処理液塗布ユニット３３，３４で前処理液が塗布され始める（Ｓ１０４）。このとき、記録媒体冷却システム７０がＯＮされ、冷媒Ｒが循環を開始することで、コックリング抑制手段５０を通る記録媒体１０の冷却が開始される。
【００８４】
そして、第１インクジェットプリンタ１３０のヘッド部１３１まで前処理液が塗布乾燥された記録媒体１０が到達すると（Ｓ１０５）、ヘッド部１３１からインクが着弾され印刷が始まる（Ｓ１０６）。すなわち、前処理液の塗布乾燥が終わった記録媒体１０が第１インクジェットプリンタ１３０へ到達すると、インクジェットによる画像などの表面印刷を行う。引き続きこの記録媒体１０が第２インクジェットプリンタ１５０に到達すれば、インクジェットによる画像などの裏面印刷を行う。このように所定の期間、印刷動作を続ける。
【００８５】
印刷停止時は制御システムから印刷停止（ＰＥ）信号が出され、前処理液塗布乾燥装置１２０がＰＥ信号を受信し印刷終了の動作をさせ始める（Ｓ１０７）。この動作ではまず、前処理液塗布装置３０（３３，３４）での前処理液の塗布を終了させる（Ｓ１０８）。その後、加熱乾燥装置１での乾燥を停止するためヒータランプＯＦＦして加熱ローラ４ａ〜６ｂの加熱を止め（Ｓ１０９）、記録媒体１０の塗布終了端が加熱乾燥装置１の出口を出たかどうか判定する（Ｓ１１０）。
【００８６】
記録媒体１０の塗布終了端が加熱乾燥装置１の出口を出た後（Ｓ１１０でＹＥＳ）、記録媒体１０の搬送を停止させる（Ｓ１１１）。このとき、記録媒体冷却システム７０は冷却動作をＯＦＦにして、冷媒Ｒの循環を停止させて、記録媒体１０のコックリング抑制手段５０での冷却を停止する。
【００８７】
そして、次のＪＯＢがあれば（Ｓ１１２）、再度印刷準備開始に戻るが、ない場合は終了となる。
【００８８】
なお、前処理液が塗布乾燥された記録媒体１０が記録装置１３０，１５０のヘッド部１３１，１５１へ達する時間や、塗布ユニット３３，３４が塗布終了して塗布終端が加熱乾燥装置１出口を出るまでの時間は搬送距離、搬送速度から時間を割り出し時間カウントすることで算出する。
【００８９】
また、加熱乾燥装置１の温度立上げ時は加熱乾燥装置１内にある記録媒体１０が通常は前処理液が塗布されていない記録媒体１０であるため、加熱立上げによる記録媒体１０の変形は比較的小さいが、記録媒体１０において上記領域や搬送停止前の前処理液が塗布されていない領域は、印刷不可領域として損紙扱いにしている。
【００９０】
なお、ここでは、両面印刷の場合を説明したが、表面あるいは裏面だけの片面印刷も可能である。この場合は、印刷を行う面側について前処理液の塗布、乾燥を行うようにし、前処理液塗布乾燥装置１２０から送り出された記録媒体１０の含水率は給紙装置１１０から送り出されたときの記録媒体１０の含水率とほぼ同等になるようにする。これは、多岐にわたる記録媒体を考えた場合、インクジェット専用紙の含水率や元通りの含水率に近づけておけば良いためである。
【００９１】
図１１に、印刷時の各装置の動作タイミングを示すタイミングチャートを示す。これら各装置の動作タイミングは制御装置１２５及び制御システムによって、制御される。印刷を開始する時、まず加熱乾燥装置１において、加熱ローラ４ａ〜６ｂのヒータをＯＮして、乾燥設定温度まで立ち上げる。例えば、加熱ローラ４ａ〜６ｂの加熱乾燥の設定温度は、上述のように５０℃〜９０℃程度に段階的に設定される。
【００９２】
その後、前処理液塗布をＯＮ、記録媒体１０の搬送動作をＯＮする（起動する）。このタイミングで記録媒体冷却動作も起動する。そして、塗布乾燥をしながらインクジェットプリンタ１３０，１５０において、印刷（画像形成）を行う。
【００９３】
そして、印刷を停止するとき、全体搬送を停止する前に前処理液塗布を停止した後、乾燥を停止するため加熱ローラ４ａ〜６ｂの加熱乾燥をＯＦＦ（停止）した後に記録媒体１０の搬送を停止させる。ここで、加熱乾燥ＯＦＦとして加熱ローラ４ａ〜６ｂを完全にＯＦＦする場合もあるが、次の印刷での温度立ち上げ時間を短くするため待機温度を４０℃〜４５℃程度に設定しても良い。待機温度を４０℃〜４５℃程度であれば、前処理液が塗布されていない記録媒体であることも考慮して、この温度での記録媒体１０の変形は極めて小さいからである。このとき、記録媒体１０の搬送ＯＦＦのタイミングで、記録媒体冷却動作もＯＦＦする（停止させる）。
【００９４】
図１０、図１１に示すように動作期間を制御することにより、加熱乾燥装置１内には前処理液が塗布されていない記録媒体１０が残るようにして、かつ加熱ローラ４ａ〜６ｂは加熱されないので記録媒体１０の変形は少ない状態になる。そのため、記録媒体１０は加熱乾燥装置１内での変形が少なくなり、後続処理となる記録装置１３０，１５０のヘッド部１３１，１５１での記録媒体１０が変形したことによるヘッドつまりやヘッド損傷などが極めて少なくなり、画質品質の悪化を防ぐという効果を奏する。
【００９５】
しかしながら、この後の印刷待機中には、塗布していない記録媒体１０であっても加熱乾燥装置１の特に出口側で停止した記録媒体１０は加熱乾燥装置１の加熱ローラ４ａ〜６ｂの余熱で十分に乾燥した状態で停止している。そのため、急激な吸湿と共に記録媒体１０の伸縮が起こりがちであるが、上述したように屈曲搬送路５２の形成によりムラなくコックリングが抑制される。
【００９６】
また、図１０、図１１からわかるように、記録媒体冷却システム７０は、乾燥の開始後であって、塗布開始・搬送開始と同時に冷却が開始されて、乾燥終了後に、搬送停止と同時に冷却動作を終了させているので、印刷の待機中は、冷却動作は行わない。従って、加熱乾燥装置１と、記録媒体冷却システム７０との間の大きな温度差は、印刷時のみ発生する。そのため、印刷中は加熱後の冷却の効果があり、待機中は加熱乾燥装置１と記録媒体冷却システム７０との温度差を最低限に留めてして記録媒体１０におけるコックリングの発生を抑制できる。
【００９７】
以上のように、本発明によれば高価なインクジェット専用紙を用いなくても、前処理液塗布乾燥処理を行い待機中でも特に乾燥部出口側での記録媒体１０の吸湿による波形状の変形であるコックリングを均一に、極めて少なくできる。よって、コックリングによる後段でのヘッド部１３１，１５１での記録媒体での擦りがなく、印刷汚れやヘッド汚れ、ヘッド詰まりによる印刷ドット欠け、ヘッドの損傷などがない前処理液塗布乾燥装置及び記録装置が提供でき、良好な印刷業務ができる。
【００９８】
さらに、前処理液塗布乾燥装置１２０内において、加熱装置により記録媒体を加熱した後に、コックリングを抑制しつつ冷却するので、その後のダンサーユニットを介して、前処理液塗布乾燥装置１２０を出る際には、記録媒体１０の温度が下がっている。
【００９９】
従って、記録媒体１０が高温であることに起因する、後段のインクジェットプリンタ１３０，１５０のヘッド部１３１，１５１でのインク劣化、及び記録媒体１０に付着したインクの滲みなどの悪影響、を抑制できる。さらに、記録媒体１０が前処理液塗布乾燥装置の外に出る時であっても、前処理液が高温であることによる臭気の発生を抑制できる。
【０１００】
＜第２実施形態＞
（（印刷装置の構成））
ここで、図１２に加熱乾燥機能とコックリング抑制機能を有する第２実施形態の印刷装置を示す。
【０１０１】
本実施形態に係る記録媒体の加熱乾燥装置２００はインク乾燥装置であり、その装置を有する印刷装置１０００について説明する。図１２に加熱乾燥装置２００を有する印刷装置１０００全体の概略構成図を示す。なお、以下では、第１実施形態と同一の構成については同一の符号を付し、第１実施形態と異なる点を中心に説明する。
【０１０２】
図１２に示すように、本実施形態の印刷装置１０００において、加熱乾燥装置２００の上流に記録装置４００と給紙装置３００と搬送部８００とが配置され、インク乾燥装置である加熱乾燥装置２００の下流には、後処理装置６００が配置されている。なお、後処理装置６００として、印刷後の記録媒体１０を巻き取る巻取装置や折りたたむ折機を設置できる。
【０１０３】
記録装置（記録装置部）４００は画像形成部となるヘッド部４０１を有しており、ヘッド部４０１Ａは記録媒体１０にインク等の液体を吐出し付着させることで、記録媒体１０に画像を形成する。
【０１０４】
加熱乾燥装置（加熱乾燥装置部）２００は、第１実施形態と同様に、記録媒体１０の搬送方向Ｔの上流から、加熱ローラ４ａ，４ｂ，５ａ，５ｂ，６ａ，６ｂと排気ダクト８，９、及び排出ローラ（アイドラローラ）７を有する。
【０１０５】
また、加熱乾燥装置２００において、制御装置９００による加熱制御処理が実行され、夫々の加熱ローラ４ａ〜６ｂの各ヒータの加熱量（温度）を制御している。
【０１０６】
ここで、インクの成分によって、例えば、脂肪族炭化水素を含有する溶媒系インクなどの場合、加熱により揮発性有機化合物を排出することがあり、冷却しないと、臭気が発生するおそれがあった。
【０１０７】
本実施形態においても、加熱乾燥装置２００の出口近傍の下流側に、コックリング抑制手段５００として、複数の従動ローラ５１ｘ〜５１ｚで搬送方向に対して複数回屈曲する屈曲搬送路５２が形成されており、待機中に発生する用紙幅方向での波打ち状のコックリングを抑制している。ここで、複数の従動ローラ５１ｘ〜５１ｚは、記録媒体１０の幅方向の全域に接するので、記録媒体１０において、ムラなく均一にコックリングを抑制できる。
【０１０８】
また、印刷装置１０００は、図９と同様に、従動ローラ５１ｘ〜５１ｚを形成する中空ローラ５１Ａの内部を冷却するための記録媒体冷却システム（記録媒体冷却部）７００を備えている。本実施形態においても、冷却システム７００では、冷媒Ｒを伝熱管７７内で循環させることで、中空ローラ５１Ａの内部の空気を循環させ、中空ローラ５１Ａの外表面を通る記録媒体１０を均一に、かつ緩やかに冷却させている。従って、過度な冷却や、冷却ムラなどを極力抑制しながら、記録媒体１０を均一に冷却できる。
【０１０９】
さらに、冷却の際、加熱後の急激な冷却による記録媒体の収縮を回避できるように、段階的に冷却するため、最後段の従動ローラ５１ｚから冷やして、加熱乾燥装置２００に近い最前段の従動ローラ５１ｘを最後に冷やすように伝熱管７７の配回しをすると好ましい。この構成により、冷たい冷媒が、熱を奪いながら従動ローラ５１ｚ⇒５１ｙ⇒５１ｚと移動する。従って、冷却直後の冷媒Ｒが通る従動ローラ５１ｚが最も低い温度で冷却され、冷却後に他の従動ローラ５１ｚ，５１ｙから熱を奪った冷媒Ｒが通る従動ローラ５１ｘが最も高い温度で冷却される。
【０１１０】
ここで、少なくとも加熱乾燥装置２００とコックリング抑制手段５００とは、同じ筐体５３０で囲まれている。この構成により、同一筐体内において記録媒体１０を加熱した後、冷却することができるので、記録媒体１０が筐体５３０の外に出た時に、記録媒体１０の温度は下がっている。本実施形態では、記録媒体１０が筐体５３０を出る際には、室温レベル、例えば、２５℃程度まで記録媒体１０の温度が低下するように、上述のように段階的に、冷却の温度が設定されている。
【０１１１】
従って、前処理液が高温であることによる臭気の発生を抑制できる。なお、記録媒体冷却システム７００は同じ筐体内に配置してもよく、あるいは、筐体５３０とは別の筐体７２０で囲まれていてもよい。
【０１１２】
なお、制御フロー等については同様であるため説明を割愛する。本実施形態においても、加熱乾燥装置２００と、記録媒体冷却システム７００との間の大きな温度差は、印刷時のみ発生する。そのため、印刷中のみ冷却の効果があり、待機中は記録媒体冷却システム７０をＯＦＦにして、温度差を最低限にしてコックリングの発生を抑制する。
【０１１３】
以上により本実施形態においても、高価なインクジェット専用紙を用いなくても、インク乾燥処理を行い、待機中でも特に乾燥部出口側での記録媒体１０の吸湿による波形状の変形、コックリングを、極めて少なくできる。よって、コックリングによる後工程での後処理装置６００での記録媒体での擦りがなく、記録媒体１０の巻き取りも良好な印刷業務ができる。
【０１１４】
さらに、記録媒体に対して加熱乾燥を実施しても、その後コックリングを発生させずに冷却した後に、筐体から記録媒体が出るので、温度が高いまま乾燥装置を出たときに発生するおそれがあった揮発性有機化合物による臭気の発生を抑制できる。
【０１１５】
以上、各実施形態に基づき本発明の説明を行ってきたが、上記実施形態を示した要件に本発明が限定されるものではない。これらの点に関しては、本発明の主旨をそこなわない範囲で変更することができ、その応用形態に応じて適切に定めることができる。
【符号の説明】
【０１１６】
１  加熱乾燥装置（乾燥装置）
４ａ，４ｂ，５ａ，５ｂ，６ａ，６ｂ  加熱ローラ（加熱手段）
４２  軸受押さえ
４３  スリーブ
３５  搬送手段
５０  コックリング抑制手段
５１ｘ，５１ｙ，５１ｚ  従動ローラ
５１Ａ  中空ローラ（中空ローラ本体）
５１Ｂｏ，５１Ｂｃ  端部
５２  屈曲搬送路
５３  フレーム
５４  軸受
７０  冷却システム（冷凍サイクル）
７１  圧縮器
７３  凝縮器
７５  膨張弁
７６，７７  伝熱管
７９  冷却フィン（伝熱フィン）
１００  印刷システム
１２０  前処理液塗布乾燥装置
１２５  制御装置
１３０  第１インクジェットプリンタ（記録装置）
１５０  第２インクジェットプリンタ（記録装置）
１０００  印刷装置
２００  加熱乾燥装置（加熱乾燥装置部）
４００  記録装置（記録装置部）
５００  コックリング抑制手段（コックリング抑制部）
５３０，７２０  筐体
８００  搬送部
Ｒ  冷媒
【先行技術文献】
【特許文献】
【０１１７】
【特許文献１】特開２０１２−０３５５６６号公報
【図１】
0006507616.tif 000002
【図２】
0006507616.tif 000003
【図３】
0006507616.tif 000004
【図４】
0006507616.tif 000005
【図５】
0006507616.tif 000006
【図６】
0006507616.tif 000007
【図７】
0006507616.tif 000008
【図８】
0006507616.tif 000009
【図９】
0006507616.tif 000010
【図１０】
0006507616.tif 000011
【図１１】
0006507616.tif 000012
【図１２】
0006507616.tif 000013